(57)【特許請求の範囲】
【請求項１】
座席本体を支持する支持脚と、前記支持脚を床に固定する床固定用ベースと、前記支持脚および床固定用ベースを覆う上部および下部化粧カバーとを備えたパーラーチェアであって、
前記床固定用ベースは、前記床に固定される円盤状のベース体と、前記ベース体に立設された中空筒状の筒部と、前記筒部の外周に設けられた螺合部とを有し、
前記支持脚は、前記筒部に下端が嵌合され、立設状態に配置される支柱と、前記支柱の下部外周に上下方向に間隔を隔てて固着される一対の上，下リングと、前記リング間に遊嵌され、前記螺合部に螺着されるリングナットとを有し、
前記下リングは、前記筒部の上端面に当接され、
前記上部化粧カバーは、上下端が開口され、上部に向かって外周が漸次大きくなる中空テーパー状に形成され、前記支柱を内部に挿通させて、下端が前記上リングに支持され、前記支柱の上端部から前記上リングまでを覆い、
前記下部化粧カバーは、下方に向かって膨出する上下端が開口した中空釣鐘状に形成されて前記支柱の前記リングナットと前記螺合部との螺着個所と前記床固定用ベースとを覆い、かつ、前記上部化粧カバーを内部に挿通させて上下移動自在に配置され、上方に移動されると一定の高さ位置で前記上部化粧カバーに係止されることを特徴とするパーラーチェア。
【請求項２】
前記座席本体の下面には、当該座席本体を前後方向にスライド移動可能にするスライド受台が固定されることを特徴とする請求項１に記載のパーラーチェア。
【請求項３】
前記支持脚と前記床固定用ベースに位置決め手段を備えたことを特徴とする請求項１または２に記載のパーラーチェア。
【請求項４】
前記位置決め手段は前記支持脚に形成した突起と前記床固定用ベースの筒部に形成した切欠き部であることを特徴とする請求項３に記載のパーラーチェア。
【請求項５】
前記床固定用ベースに、不等間隔のボルト孔とベース位置決め手段を設けたことを特徴とする請求項１に記載のパーラーチェア。
【発明の詳細な説明】
【０００１】
【発明の属する技術分野】
本発明は、遊技機の前に配置する、床面からの装脱着が自在のパーラーチェアに関する。
【０００２】
【従来の技術】
遊技場において、パチンコ、スロットマシーン又はスマートボールのような遊技機が設置されており、遊技者は、それぞれの遊技機の前に置かれた椅子に腰を下ろして、遊技を楽しむ。これらの椅子は、遊技場の床面に固定されているので、椅子を自由に移動することはできない。
【０００３】
例えば、車椅子で来店した遊技者にとっては、椅子が固定されているので、車椅子を遊技機の前に乗り入れることができず、ましてや自由に遊技機を選択することはできず、不便なものとなっている。椅子を移動させて、車椅子を自由に乗り入れることが可能になれば、車椅子で来店する遊技者にとって、便利なものになる。遊技場によっては、遊技島の端に位置する遊技機の椅子を移動可能にしたところもあるが、この場合は、移動可能な椅子の場所が決められてしまうため、遊技者が希望する遊技台で楽しむことはできない。
【０００４】
【発明が解決しようとする課題】
本発明は、車椅子などで来店する遊技者が、自分が希望する機台で自由に遊技機を利用することができるように、椅子を簡単に床面から装脱着可能にするものである。即ち、本発明は、遊技機の前で使用するパーラーチェアを床面から自由に装脱着可能にするパーラーチェアを提供しようとするものである。
【０００５】
【課題を解決するための手段】
本発明の要旨は、座席本体を支持する支持脚と、前記支持脚を床に固定する床固定用ベースと、前記支持脚および床固定用ベースを覆う上部および下部化粧カバーとを備えたパーラーチェアであって、前記床固定用ベースは、前記床に固定される円盤状のベース体と、前記ベース体に立設された中空筒状の筒部と、前記筒部の外周に設けられた螺合部とを有し、前記支持脚は、前記筒部に下端が嵌合され、立設状態に配置される支柱と、前記支柱の下部外周に上下方向に間隔を隔てて固着される一対の上，下リングと、前記リング間に遊嵌され、前記螺合部に螺着されるリングナットとを有し、前記下リングは、前記筒部の上端面に当接され、前記上部化粧カバーは、上下端が開口され、上部に向かって外周が漸次大きくなる中空テーパー状に形成され、前記支柱を内部に挿通させて、下端が前記上リングに支持され、前記支柱の上端部から前記上リングまでを覆い、前記下部化粧カバーは、下方に向かって膨出する上下端が開口した中空釣鐘状に形成されて前記支柱の前記リングナットと前記螺合部との螺着個所と前記床固定用ベースとを覆い、かつ、前記上部化粧カバーを内部に挿通させて上下移動自在に配置され、上方に移動されると一定の高さ位置で前記上部化粧カバーに係止されるようにした。
このように構成した本発明によれば、支持脚下部に遊嵌したリングナットと筒部に形成した螺合部により、パーラーチェアは床面から装脱着を簡単に行うことができる。 また、本発明では、支持脚及び床固定用ベースを覆うために、支持脚に筒状の上部化粧カバーを被嵌し、上部化粧カバーの下部に支持脚の下部と床固定用ベースを覆う下部化粧カバーを設けているので、支持脚を外に見せず、パーラーチェアの美観を高めることができる。さらに、下部化粧カバーは、支柱のリングナットと螺合部との螺着個所を覆い、上下移動自在に配置しているので、下部化粧カバーを上部に挙げた状態で、支持脚下部に遊嵌したリングナットを簡単に回すことができ、パーラーチェアの支持脚を床面固定用ベースから簡単に装脱着することができる。
【０００６】
前記座席本体の下面には、当該座席本体を前後方向にスライド移動可能にするスライド受台を固定することができる。また、前記支持脚と床固定用ベースに位置決め手段を備えることができる。そして、位置決め手段は支持脚に形成した突起と床面固定用ベースの筒部に形成した切欠き部とから構成することができる。支持脚に形成した突起を床固定用ベースの筒部に形成した切欠き部に嵌込することにより、簡単にパーラーチェアの位置決めを行うことができる。
【０００７】
床固定用ベースに、不等間隔のボルト孔とベース位置決め手段を設けることができる。固定用の孔を不等間隔に設けることにより、床に孔があけられない場合でも、既に存在する他の孔の箇所にボルトを固定すればよく、また、床固定用ベースにも位置決めの手段を設けているので、パーラーチェアの設置位置を容易にきめることができる。
【００１０】
【発明の実施の形態】
本発明を実施形態に基づいて説明する。遊技用のパーラーチェアＡの外観を図１に、パーラーチェアＡの内部構造を図２に示した。図１及び図２に示したように本発明のパーラーチェアＡは座席本体１、座席本体１を支持する支持脚２及び支持脚２を床に固定するための床固定用ベース３を基本構成とし、美観を高めるために上部化粧カバー４と下部化粧カバー５を、支持脚２及び床固定用ベース３を覆うように配置している。図２及び図３に示したように、座席本体１を支持する支持脚２は、座席本体１を実質的に支持する円柱状の支柱６の下部外周上下にリング６０及びリング６１を固着させ、このリング６０、６１の間に後述する床固定用ベース３に立設した筒部３１の螺合部３２と螺合するリングナット７を遊嵌させている。また、支柱６のリング６１に連接して支柱６の外周に突起６２を形成させている。
【００１１】
図２及び図４に示したように、床固定用ベース３は、円盤状のベース体３０及びベース体３０に立設させた筒部３１から構成され、円盤状ベース体３０の外周には床にボルトを固定するためにボルト孔３３が不等間隔で穿設されている。床固定用ベース３の筒部３１は、支柱６の下端部が嵌合し、リング６１が筒部３１の上端面に当接する大きさの内径を有している。また、筒部３１の上部外周面には支持脚２のリングナット７と螺合する為の螺合部３２を形成し、筒部３１の上端には支持脚２の支柱６に形成した突起６２が嵌入する切欠き３４を形成させている。切欠き３４の直角方向のベース体３０外縁には位置決め手段としての印３５が刻印されている。
【００１２】
次に、支持脚２及び床固定用ベース３を覆い美観を高めるための上部化粧カバー４及び下部化粧カバー５について説明する。図２及び図５に示したように、上部化粧カバー４は筒体の胴部４０と支柱６が挿入可能で支柱６に固着したリング６０より小さい内径の円形孔を有する底部４１と支柱６の先端部６３に挿入可能で支柱６の外径より小さい内径の円形孔を有するキャップ状の頭部４２から構成され、上部化粧カバー４の底部円形孔を囲むようにリブ４３を突出させている。上記のように構成したので、上部化粧カバー４の底部４１は、底部円形孔により支柱６に挿入されてリング６１に支持され、上部化粧カバー４の頭部４２は頭部円形孔により支柱６の先端部６３に挿入されるとともに、支柱６の先端段部６４に支持される。また、上部化粧カバー４のリブ４３と支柱６のリング６０により上部化粧カバー４のがたつきを防止している。
【００１３】
下部化粧カバー５は下方に向かって膨出する釣鐘状の筒体であって、下部化粧カバー５の下端内径は、床固定用ベース３のベース体３０の外径より大きくしており、また、下部化粧カバー５の上端内径は上部化粧カバー４の下部外径より大きくしている。この為、下部化粧カバー５は床固定用ベース３を覆うことができるとともに下部化粧カバー５を上部化粧カバー４に対して持ち上げて、支持脚２のリングナット７を回せるようにすることができる。更に、上部化粧カバー４の外周を上部に向かって漸次大きくし、下部化粧カバー５の上端内径を上部化粧カバー４の上部外径と略同じとすることにより、下部化粧カバー５を持ち上げると上部化粧カバー４との隙間がなくなり、下部化粧カバー５を上部化粧カバー４に一時的に固定できるので、リングナット７がさらに回し易くなる。
【００１４】
座席本体１の下面には図６及び図７に示したようなスライド受台８が固定されている。スライド受台８は側面視逆ハット状の座席用ベース８０と座席用ベース８０の下面両側に側面視コ字状のレール８１、８１を向かい合わせに固着してある。このレール８１、８１に側面視逆ハット状とした支持脚用ベース８２の両側に形成したスライド片を挿入している。また、支持脚用ベース８２には支持脚２の支柱６先端部６１に挿入固定用の支柱用孔８３が穿設されている。このスライド受台８付の座席本体１を支持脚２に取り付ければ、支持脚ベース８２に対して座席用ベース８０が前後方向にスライドできるようになる。この事により座席本体１が前後方向にスライドでき、遊技者が着座しやすいようになっている。
【００１５】
次に、パーラーチェアＡの組み立て方法について以下に説明する。但し、この方法に限られるものではなく、適宜順番を変えて組み立てる事ができる。図４に示したように、遊技台から一定間隔の距離を保って遊技台と平行に墨出しを行う。この墨出し線Ｌに合わせて床固定用ベース３の切欠き３４が遊技台と逆の方向なるように床固定用ベース３の印３５を合わせる。こうする事により床固定用ベース３の切欠き３４は遊技台の面に対して直角に配置される。床固定用ベース３のベース体３０に不等間隔で穿設したボルト孔３３の内、遊技台側のボルト孔３３を２個、通路側のボルト孔３３を１個の合計３個を利用してボルト９を床に打ち込みなどをして床固定用ペース３を床に固着することを標準としている。但し、ボルトを打ち込みにくい場所や、床の強度が足りない場合は適宜予備のボルト孔３３を利用してボルトを取り付けることができる。
【００１６】
次に、支持脚２を床固定用ベース３に取り付ける。支持脚２を床固定用ベース３に取り付けるには、支持脚３の支柱６に形成した突起６２が床固定用ベース３の切欠き３４に合う様に支持脚２の下端を床固定用ベース３の筒部３１に嵌合させる。そして、支持脚２のリングナット７をスパナなどの工具を利用して床固定用ベース３の筒部３１の螺合部３２に螺合させて固定する。この支柱６の突起６２と床固定用ベース３の切欠き３４を合わせることにより支柱６の位置決めが可能となり、後述するスライド受台８付の座席本体１を遊技台に対して正しく取り付けることができる。
【００１７】
次に、支持脚２と床固定用べース３を覆う上部化粧カバー４及び下部化粧カバー５を取り付ける。まず、下部化粧カバー５を支持脚２の支柱６の先端部６３から挿入して床面に載置する。次いで、上部化粧カバー４も同じく支持脚２の支柱６の先端部６３から挿入して、上部化粧カバー４の底部４１を支柱６のリング６０に支持させ、頭部４２は支柱６の先端段部６３に支持させて装着する。最後に、スライド受台８付の座席本体１を支持脚２に取り付ける。座席本体１に取り付けたスライド受台８の孔８３が支持脚２の支柱６の先端部６３に嵌入するように座席本体１を取り付ける。スライド受台８の孔８３と支柱６の先端部６３が正しく嵌合されることにより、座席本体１は遊技台に対して正しく取り付けられることになる。
【００１８】
次に、本発明のパーラチェアＡの支持脚２を床固定ベース３から装脱着する方法について説明する。まず、下部化粧カバー５を上方に移動させて、下部化粧カバー５を一時的に上部化粧カバー４の上方に固定する。上部化粧カバー４が上方に向かって太くなっているので、下部化粧カバー５を上方に移動させることにより、下部化粧カバー５を一時的に固定することができる。下部化粧カバー５を上方に引き上げると、支持脚２の下方部分が顕わとなる。支柱６のリングナット７を廻してネジをゆるめる。ネジをゆるめた後、パーラーチェアＡの支持脚２を引き上げれば、座席本体１の付いた支持脚２を床固定用ベース３から取り外すことができる。支持脚２を取り外した後には、床固定用ベース３が床面に残るが、例えば、車椅子などで遊技を楽しむには問題のないものである。
【００１９】
座席本体１の付いた支持脚２を取り付ける方法について以下説明する。支持脚２を覆っている下部化粧カバー５を上方に引き上げ上部化粧カバー４の上方に一時的に固定する。次に、支柱６の突起６２と床固定用ベース３の切り欠き３４を合わせて支柱６を固定用ベース３の筒部３１に装着する。そして、支柱６のリングナット７と床固定用ベース３の筒部３１の螺合部３２を螺合する。ネジを確実に締めることにより、座席本体付きの支持脚２は床固定用ベース３に支持、固定される。下部化粧カバー５を降ろして床固定用ベース３をカバーすることにより、パーラーチェアＡの取付は完了する。
【００２０】
【発明の効果】
本発明は、例えば、車椅子で来店した遊技者が、自由に希望する機台で遊技を楽しむことができるという効果を奏する。車椅子で来店した遊技者は、希望する機台のパーラーチェアを床面から取り外し、パーラーチェアのあった位置に車椅子を乗り入れることにより、該遊技者が希望する機台で自由に遊技をすることができるようになる。
【００２１】
しかも、パーラーチェアを床面から取り外すための作業は、下部化粧カバーを上方に移動させ該下部化粧カバーを上方に一時的に固定しておいて、床固定用ベースに固定している支柱のリングナットをゆるめ、パーラーチェアを床固定用ベースから引き上げるだけの単純なものとなっている。また、取り外したパーラーチェアを装着する際も、床固定用ベース及び支柱に位置決めの手段を備えているので、容易に支柱を床固定用ベースの筒部に挿入し、螺合して、パーラーチェアを床固定用ベースに固定することができる。上部化粧カバーの外周が上方に行くに従い大きくなっており、下部化粧カバーを引き上げて容易に上部化粧カバーに一時的に固定することができるので、リングナットを容易に回転させることができる。
【００２２】
更に、床固定用ベースを床面に固定する際にも、床固定用ベースの位置決めの印を床面の墨出し線に合わせることにより、簡単に位置決めをすることができる。床固定用ベースには複数個のボルト孔が設けられ、しかも複数個の孔が不等間隔にすることができるので、床面の状況に応じて、床固定用ベースを容易に取り付けることができる。
【図面の簡単な説明】
【図１】パーラーチェアの一例を示す図である
【図２】パーラーチェアの内部構造を示す図である
【図３】支持脚の一例を示す図である
【図４】床固定用ベースの一例を示す図である
【図５】下部化粧カバーの機能を説明する図である
【図６】スライド受台を接続する状況を示す図である
【図７】スライド受台の一例を示す図である
【符号の説明】
Ａ                    パーラーチェア
Ｌ                    墨出線
１                    座席本体
２                    支持脚
３                    床固定用ベース
４                    上部化粧カバー
５                    下部化粧カバー
６                    支柱
７                    リングナット
８                    スライド受台
９                    ボルト
３０                  ベース体
３１                  筒部
３２                  螺合部
３３                  ボルト孔
３４                  印
４０                  胴部
４１                  底部
４２                  頭部
４３                  リブ
６０、６１            リング
６２                  突起
６３                  先端部
６４                  先端段部
８０                  座席用ベース
８１                  レール
８２                  支持脚用ベース
８３                  支柱用孔
【図１】
0004190774.tif 000002
【図２】
0004190774.tif 000003
【図３】
0004190774.tif 000004
【図４】
0004190774.tif 000005
【図５】
0004190774.tif 000006
【図６】
0004190774.tif 000007
【図７】
0004190774.tif 000008